(57)【要約】  【課題】エンジンの冷機始動時には、エンジンを確実・強力に冷機始動させ、エンジンの稼動運転時には、両遠心錘同士間の進角作動は温機時錘移動許容距離Ｌｗに制限する。  【解決手段】感温作動手段７は圧縮コイルスプリング形の形状記憶ばね８で構成する。形状記憶ばね８と始動進角用ばね６とは、一対の遠心錘３同士の間に位置させるとともに、錘戻しばね５に対して同心状に配置する。始動進角用ばね６と一方の遠心錘３Ａ・３Ｂとに亘って回転進角制限装置３５を設ける。この回転進角制限装置３５は、温機時の一対の遠心錘３Ａ・３Ｂ同士間の最大離間距離を温機時錘移動許容距離Ｌｗとして制限するように構成した。【選択図】      図５
2006090213.tif 000002
【特許請求の範囲】
【請求項１】
エンジンの偏心カム型機械式タイマを構成する入力輪(１)の一側部に出力輪(２)を、他側部に一対の遠心錘(３)(３)を配置し、
入力輪(１)と出力輪(２)とに亙って偏心カム型進角機構(４)を設け、この偏心カム型進角機構(４)は一対の遠心錘(３)(３)の遠心力と圧縮コイルスプリング製の錘戻しばね(５)の求心側への張力との不釣合い力により作動して、入力輪(１)に対して出力輪(２)を進角制御作動するように構成し、
一対の遠心錘(３)(３)は、圧縮コイルスプリング製の始動進角用ばね(６)で遠心方向へ進角駆動するのに対して、感温作動手段(７)の高温側感温時の伸長作動で始動進角用ばね(６)の張力に抗して進角駆動解除するように構成し、
エンジンの冷機始動時には、感温作動手段(７)が低温側感温により収縮作動して、始動進角用ばね(６)の張力で一対の遠心錘(３)(３)を始動進角位置に押し拡げるように構成し、
エンジンの温暖時には、感温作動手段(７)が高温側感温により伸長作動して、始動進角用ばね(６)を収縮させて、この始動進角用ばね(６)が一対の遠心錘(３)(３)を始動進角位置に押し拡げるのを解除するように構成した、
エンジンの偏心カム型機械式タイマの冷機始動時の進角装置において、
前記感温作動手段(７)は圧縮コイルスプリングを形状記憶合金材料で製造した形状記憶ばね(８)により構成し、
この形状記憶ばね(８)と前記始動進角用ばね(６)とは、前記一対の遠心錘(３)・(３)同士の間に位置させるとともに、前記錘戻しばね(５)に対して同心状に配置し、
前記始動進角用ばね(６)と一方の遠心錘(３Ａ)(３Ｂ)とに亘って回転進角制限装置(35)を設け、この回転進角制限装置(35)は一対の遠心錘(３Ａ)(３Ｂ)同士間の温機時の最大離間距離を温機時錘移動許容距離(Ｌｗ)として制限するように構成した、
ことを特徴とするエンジンの偏心カム型機械式タイマの冷機始動時の進角装置。
【請求項２】
請求項１に記載のエンジンの偏心カム型機械式タイマの冷機始動時の進角装置において、
前記一対の遠心錘(３)・(３)のうち、その一方の遠心錘(３Ａ)(３Ｂ)の内部には錘戻しばね(５)を設けるのに対して、その他方の遠心錘(３Ｂ)(３Ａ)の内部には始動進角用ばね(６)と形状記憶ばね(８)とを設けて構成した、
ことを特徴とするエンジンの偏心カム型機械式タイマの冷機始動時の進角装置。
【請求項３】
請求項２に記載のエンジンの偏心カム型機械式タイマの冷機始動時の進角装置において、
前記形状記憶ばね(８)と始動進角用ばね(６)とは互いに内外に挿嵌させて配置して構成した、
ことを特徴とするエンジンの偏心カム型機械式タイマの冷機始動時の進角装置。
【請求項４】
請求項３に記載のエンジンの偏心カム型機械式タイマの冷機始動時の進角装置において、
互いに内外に挿嵌し合う前記形状記憶ばね(８)と始動進角用ばね(６)との間に伝動用筒(９)を挿入し、この伝動用筒(９)の筒一端部から外鍔(10)を遠心側に連出させるのに対して、その筒他端部から内鍔(11)を求心側に連出させ、
前記一対の遠心錘(３)・(３)のうちの前記他方の遠心錘(３Ｂ)(３Ａ)に前記始動進角用ばね(６)のばね基端部(12)を受け止めさせるとともに、この始動進角用ばね(６)のばね先端部(13)が前記外鍔(10)を介して前記一方の遠心錘(３Ａ)(３Ｂ)を遠心側へ押圧するように構成し、
前記他方の遠心錘(３Ｂ)(３Ａ)に錘開閉ガイド軸(14)を介して形状記憶ばね(８)のばね基端部(15)を受け止めさせるとともに、この形状記憶ばね(８)のばね先端部(16)が内鍔(11)・伝動用筒(９)・および外鍔(10)を順に介して前記始動進角用ばね(６)を圧縮させる側へ弾圧するように構成した、
ことを特徴とするエンジンの偏心カム型機械式タイマの冷機始動時の進角装置。
【請求項５】
請求項１・２・３または４に記載のエンジンの偏心カム型機械式タイマの冷機始動時の進角装置において、
前記回転進角制限装置(35)は、ばね連動部材(36)と錘係止部材(37)と錘被係止部材(38)とを具え、
前記ばね連動部材(36)は、前記始動進角用ばね(６)のうちの、前記他方の遠心錘(３Ｂ)(３Ａ)に対して伸縮移動するばね伸縮移動部分(6a)に連動連結し、
前記錘係止部材(37)は前記ばね連動部材(36)に固設し、  前記錘被係止部材(38)は前記一方の遠心錘(３Ａ)(３Ｂ)に固設し、
て構成したことを特徴とするエンジンの偏心カム型機械式タイマの冷機始動時の進角装置。
【請求項６】
請求項４に記載のエンジンの偏心カム型機械式タイマの冷機始動時の進角装置において、
前記回転進角制限装置(35)は、ばね連動部材(36)と錘係止部材(37)と錘被係止部材(38)とを具え、
前記ばね連動部材(36)は、前記始動進角用ばね(６)のうちの、前記他方の遠心錘(３Ｂ)(３Ａ)に対して伸縮移動するばね伸縮移動部分(6a)に連動連結し、
前記錘係止部材(37)は前記ばね連動部材(36)に固設し、  前記錘被係止部材(38)は前記一方の遠心錘(３Ａ)(３Ｂ)に固設し、
前記ばね連動部材(36)はリング状に形成し、  このリング状のばね連動部材(36)は、前記連動用筒(９)に外嵌させた状態で、この伝動用筒(９)の前記外鍔(10)と前記始動進角用ばね(６)のばね先端部(13)との間に挟持させ、  このばね先端部(13)がばね伸縮移動部分(6a)を兼ねるように構成した、
ことを特徴とするエンジンの偏心カム型機械式タイマの冷機始動時の進角装置。
【請求項７】
請求項５または６に記載のエンジンの偏心カム型機械式タイマの冷機始動時の進角装置において、
前記錘係止部材(37)は長円形部材(39)の長円遊端部分(37a)から成り、
前記錘被係止部材(38)は錘被係止ピン(38a)から成り、この錘被係止ピン(38a)は前記一方の遠心錘(３Ａ)(３Ｂ)からその遠心移動方向と交差する方向に固着凸設し、
この錘被係止ピン(38a)は前記長円形部材(39)に摺動自在に内嵌させ、
て構成したことを特徴とするエンジンの偏心カム型機械式タイマの冷機始動時の進角装置。
【発明の詳細な説明】
【技術分野】
【０００１】
本発明は、エンジンの偏心カム型機械式タイマの冷機始動時の進角装置に関する。
【背景技術】
【０００２】
［前提構成］
本発明のエンジンの偏心カム型機械式タイマの冷機始動時の進角装置は、例えば図３（本発明）または図７（従来技術）に示すように、次の前提構成を有するものを対象とする。
【０００３】
図３は本発明のエンジンの偏心カム型機械式タイマの冷機始動時の進角装置の実施形態１を示す。図３（Ａ）は偏心カム型機械式タイマの縦断右側面図、図３（Ｂ）は図３（Ａ）のＢ-Ｂ線断面図、図３（Ｃ）は図３（Ａ）のＣ-Ｃ線断面図、図３（Ｄ）は回転進角制限装置３５の斜視図である。
【０００４】
図７は従来技術１のエンジンの偏心カム型機械式タイマの冷機始動時の進角装置を示す。図７（Ａ）は偏心カム型機械式タイマの縦断左側面図であって、図７（Ｂ）のＡ−Ａ線断面図である。図７（Ｂ）は図７（Ａ）の中央部縦断正面図である。
【０００５】
エンジンの偏心カム型機械式タイマを構成する入力輪(１)の一側部に出力輪(２)を、他側部に一対の遠心錘(３)(３)を配置する。
入力輪(１)と出力輪(２)とに亙って偏心カム型進角機構(４)を設ける。この偏心カム型進角機構(４)は一対の遠心錘(３)(３)の遠心力と圧縮コイルスプリング製の錘戻しばね(５)の求心側への張力との不釣合い力により作動して、入力輪(１)に対して出力輪(２)を進角制御作動するように構成する。
【０００６】
一対の遠心錘(３)(３)は、圧縮コイルスプリング製の始動進角用ばね(６)で遠心方向へ進角駆動するのに対して、感温作動手段(７)の高温側感温時の伸長作動で始動進角用ばね(６)の張力に抗して進角駆動解除するように構成する。
【０００７】
エンジンの冷機始動時には、図４（Ａ）に例示するように、感温作動手段(７)が低温側感温により収縮作動して、始動進角用ばね(６)の張力で一対の遠心錘(３)(３)を始動進角位置に押し拡げるように構成する。
【０００８】
エンジンの温暖時には、図４（Ｂ）に例示するように、感温作動手段(７)が高温側感温により伸長作動して、始動進角用ばね(６)を収縮させて、この始動進角用ばね(６)が一対の遠心錘(３)(３)を始動進角位置に押し拡げるのを解除するように構成したものである。
【０００９】
［従来の技術］
上記前提構成において、始動進角用ばね(６)と感温作動手段(７)とを組み合わせるための構成として、従来技術では図７に示すものがある。
（特開平３−１１１３１号公報）
【００１０】
図７は従来技術のエンジンの偏心カム型機械式タイマの冷機始動時の進角装置を示す。図７（Ａ）は偏心カム型機械式タイマの縦断左側面図であって、図７（Ｂ）のＡ−Ａ線断面図である。図７（Ｂ）は図７（Ａ）の中央部縦断正面図である。
【００１１】
前記感温作動手段(７)はワックス封入型の感温作動器(50)から成る。前記一対の遠心錘(３)(３)の内周面(53)の前半部分内に円錐穴カム面(51)を形成する。前記始動進角用ばね(６)の張力で円錐カム(52)を円錐穴カム面(51)に押し当てることにより、遠心錘(３)(３)を始動進角位置に押し拡げるように構成されている。
【００１２】
［従来技術の問題点］
上記従来技術では、次の問題がある。
始動進角用ばね(６)から両遠心錘(３)(３)までの間の力の伝達途中で、円錐カム(52)と円錐穴カム面(51)とが摺動して摩擦ロスが発生する分だけ、つぎの問題点１・２および３がある。
【００１３】
問題点１：  エンジンの冷機始動時の始動進角の制御精度は低下する。
問題点２：  感温作動器(50)および始動進角用ばね(６)は大能力・小形のものが必要になる。
【００１４】
問題点３：  始動進角用ばね(６)から遠心錘(３)(３)までの力の伝達部分に介在する円錐カム(52)と円錐穴カム面(51)とは、摺動摩擦により摩耗するため、耐久性が低下する。
【００１５】
【特許文献１】特開平３−１１１３１号公報
【発明の開示】
【発明が解決しようとする課題】
【００１６】
本発明の課題は、次のようにすることにある。
［イ］．  始動進角用ばねから両遠心錘までの間の力の伝達途中で摩擦ロスが介在するのを無くす分だけ、  １：エンジンの冷機始動時の始動進角の制御精度を向上させ、  ２：始動進角用ばねおよび感温作動手段を小能力化・小形化でき、  ３：始動進角用ばねから遠心錘までの力の伝達部分の耐久性を向上させる。
【００１７】
［ロ］．  上記形状記憶ばねと始動進角用ばねとを錘戻しばねに対して同心状に配置することにより、遠心錘の回転軸心方向の長さを短くする。
［ハ］．  エンジンの冷機始動時には、両遠心錘同士を冷機始動進角用離間距離(Ｌｃ)だけ遠心方向に自由に大きく押し拡げて、充分に始動進角作動させることにより、エンジンを確実・強力に冷機始動させる事と、  エンジンの稼動運転時には、両遠心錘同士間の進角作動は温機時錘移動許容距離(Ｌｗ)に制限することにより、この進角過剰の場合に生ずるＮＯｘや燃焼騒音の発生量の増大などの問題を解消する事とを、  両立させる。
【００１８】
［ニ］．  錘戻しばね・始動進角用ばね・形状記憶ばねのばね最大外径を小さくして、遠心錘の長さを短くすることにより、偏心カム型機械式タイマの全長を短縮する。
［ホ］．  上記形状記憶ばねと始動進角用ばねとは、ばね伸縮量に対するばね張力の変化率を小さくすることにより、偏心カム型機械式タイマの冷機始動時の始動進角の制御精度を高める。
【００１９】
［ヘ］．  偏心カム型機械式タイマの冷機始動時の始動進角の制御精度を高めるうえ、始動進角用ばねと形状記憶ばねの耐久性を高める。
［ト］．  回転進角制限装置の構成を、簡単で安価に製造できるうえ、耐久性にも優れるようにする。
【００２０】
［チ］．  外鍔およびばね先端部に対して錘被係止部材を、両遠心錘の開閉方向にガタ付くこと無く高精度に安定良く位置決めすることにより、図５（Ｂ）に示す温機時錘移動許容距離(Ｌｗ)を高精度に確保することにより、エンジンの温機再始動時および稼動運転時の進角制限の値を高精度に保持する。
【００２１】
［リ］．  錘被係止ピンは、長円形部材で両側から直進案内させて、長円遊端部分の正規の受止め位置に精確に受け止めさせることにより、図５（Ｂ）に示す温機時錘移動許容距離(Ｌｗ)を高精度に確保して、エンジンの稼動運転時の進角制限の値を高精度に保持する。
【課題を解決するための手段】
【００２２】
本発明のエンジンの偏心カム型機械式タイマの冷機始動時の進角装置は、上記前提構成において、上記課題を解決するために、例えば図１−図６に例示するように、始動進角用ばね(６)と感温作動手段(７)とを組み合わせるための構成として、次の特徴構成を追加したことを特徴とする。
【００２３】
図１−図６は本発明のエンジンの偏心カム型機械式タイマの冷機始動時の進角装置の実施形態１を示す。図１は偏心カム型機械式タイマの遠心錘に錘戻しばね・始動進角用ばね・感温作動ばねを組み込んだものを示す。図１（Ａ）は図１（Ｂ）のＡ−Ａ線断面正面図、図１（Ｂ）は平面図、図１（Ｃ）は左側面図、図１（Ｄ）は図１（Ａ）のＤ−Ｄ線断面図である。
【００２４】
図２は水冷縦形ディーゼルエンジンの燃料噴射ポンプの駆動装置の縦断右側面図である。図３（Ａ）は偏心カム型機械式タイマの縦断右側面図、図３（Ｂ）は図３（Ａ）のＢ-Ｂ線断面図、図３（Ｃ）は図３（Ａ）のＣ-Ｃ線断面図、図３（Ｄ）は回転進角制限装置３５の斜視図である。
図４は図１（Ａ）のＩＶ部分の拡大図である。図４（Ａ）は形状記憶ばねの低温側感温時の収縮作動状態を示す。図４（Ｂ）は形状記憶ばねの高温側感温時の伸長作動状態を示す。
【００２５】
図５は両遠心錘の進角作動状態を示す。図５（Ａ）はエンジンの冷機状態での始動時の進角作動状態を示し、図４（Ａ）と同じ図である。図５（Ｂ）はエンジンの温機状態での稼動運転時の進角作動状態を示す。
【００２６】
図６は両遠心錘のエンジン回転速度に対する進角作動特性曲線図である。図６（Ａ）はエンジンの冷機始動時の進角作動特性曲線図であり、図５（Ａ）の状態の作動特性を示す。図６（Ｂ）はエンジンの稼動運転時の進角作動特性曲線図であり、図５（Ｂ）の状態の作動特性を示す。
【００２７】
○  請求項１の発明．  図１−図６参照．
前記感温作動手段(７)は圧縮コイルスプリングを形状記憶合金材料で製造した形状記憶ばね(８)により構成する。  この形状記憶ばね(８)と前記始動進角用ばね(６)とは、前記一対の遠心錘(３)・(３)同士の間に位置させるとともに、前記錘戻しばね(５)に対して同心状に配置する。
【００２８】
前記始動進角用ばね(６)と一方の遠心錘(３Ａ)(３Ｂ)とに亘って回転進角制限装置(35)を設ける。この回転進角制限装置(35)は，温機時の一対の遠心錘(３Ａ)(３Ｂ)同士間の最大離間距離を温機時錘移動許容距離(Ｌｗ)として制限するように構成した、  ことを特徴とする。
【００２９】
○  請求項２の発明．  図１・図４参照．
この請求項２の発明は、上記請求項１の発明において、次の特徴構成を追加したことを特徴とする。
【００３０】
前記一対の遠心錘(３)・(３)のうち、その一方の遠心錘(３Ａ)(３Ｂ)の内部には錘戻しばね(５)を設けるのに対して、その他方の遠心錘(３Ｂ)(３Ａ)の内部には始動進角用ばね(６)と形状記憶ばね(８)とを設けて構成した、  ことを特徴とする。
【００３１】
○  請求項３の発明．  図１・図４参照．
この請求項３の発明は、上記請求項２の発明において、次の特徴構成を追加したことを特徴とする。
【００３２】
前記形状記憶ばね(８)と始動進角用ばね(６)とは互いに内外に挿嵌させて配置して構成した、  ことを特徴とする。
【００３３】
○  請求項４の発明．  図１・図４参照．
この請求項４の発明は、上記請求項３の発明において、次の特徴構成を追加したことを特徴とする。
【００３４】
互いに内外に挿嵌し合う前記形状記憶ばね(８)と始動進角用ばね(６)との間に伝動用筒(９)を挿入する。この伝動用筒(９)の筒一端部から外鍔(10)を遠心側に連出させるのに対して、その筒他端部から内鍔(11)を求心側に連出させる。
【００３５】
前記一対の遠心錘(３)・(３)のうちの前記他方の遠心錘(３Ｂ)(３Ａ)に前記始動進角用ばね(６)のばね基短部(12)を受け止めさせるとともに、この始動進角用ばね(６)のばね先端部(13)が前記外鍔(10)を介して前記一方の遠心錘(３Ａ)(３Ｂ)を遠心側へ押圧するように構成する。
【００３６】
前記他方の遠心錘(３Ｂ)(３Ａ)に錘開閉ガイド軸(14)を介して形状記憶ばね(８)のばね基端部(15)を受け止めさせるとともに、この形状記憶ばね(８)のばね先端部(16)が内鍔(11)・伝動用筒(９)・および外鍔(10)を順に介して前記始動進角用ばね(６)を圧縮させる側へ弾圧するように構成した、  ことを特徴とする。
【００３７】
○  請求項５の発明．  図３−図５参照．
この請求項５の発明は、上記請求項１・２・３または４の発明において、次の特徴構成を追加したことを特徴とする。
【００３８】
前記回転進角制限装置(35)は、ばね連動部材(36)と錘係止部材(37)と錘被係止部材(38)とを具える。  前記ばね連動部材(36)は、前記始動進角用ばね(６)のうちの、前記他方の遠心錘(３Ｂ)(３Ａ)に対して伸縮移動するばね伸縮移動部分(6a)に連動連結する。  前記錘係止部材(37)は前記ばね連動部材(36)に固設する。  前記錘被係止部材(38)は前記一方の遠心錘(３Ａ)(３Ｂ)に固設した、  ことを特徴とする。
【００３９】
○  請求項６の発明．  図３−図５参照．
この請求項６の発明は、上記請求項４の発明において、次の特徴構成を追加したことを特徴とする。
【００４０】
前記回転進角制限装置(35)は、ばね連動部材(36)と錘係止部材(37)と錘被係止部材(38)とを具える。  前記ばね連動部材(36)は、前記始動進角用ばね(６)のうちの、前記他方の遠心錘(３Ｂ)(３Ａ)に対して伸縮移動するばね伸縮移動部分(6a)に連動連結する。  前記錘係止部材(37)は前記ばね連動部材(36)に固設する。  前記錘被係止部材(38)は前記一方の遠心錘(３Ａ)(３Ｂ)に固設する。
【００４１】
前記ばね連動部材(36)はリング状に形成する。  このリング状のばね連動部材(36)は、前記連動用筒(９)に外嵌させた状態で、この伝動用筒(９)の前記外鍔(10)と前記始動進角用ばね(６)のばね先端部(13)との間に挟持させる。  このばね先端部(13)がばね伸縮移動部分(6a)を兼ねるように構成した、  ことを特徴とする。
【００４２】
○  請求項７の発明．  図３−図５参照．
この請求項７の発明は、上記請求項５または６の発明において、次の特徴構成を追加したことを特徴とする。
【００４３】
前記錘係止部材(37)は長円形部材(39)の長円遊端部分(37a)から成る。  前記錘被係止部材(38)は錘被係止ピン(38a)から成る。この錘被係止ピン(38a)は前記一方の遠心錘(３Ａ)(３Ｂ)からその遠心移動方向と交差する方向に固着凸設する。  この錘被係止ピン(38a)は前記長円形部材(39)に摺動自在に内嵌させ、  たことを特徴とする。
【発明の効果】
【００４４】
本発明のエンジンの偏心カム型機械式タイマの冷機始動時の進角装置は、つぎの効果を奏する。
【００４５】
○  請求項１の発明．  図１−図６参照．
［  効果イ．  始動進角用ばね(６)から両遠心錘(３)(３)までの間の力の伝達途中で摩擦ロスが介在するのを無くした分だけ、  効果１：エンジンの冷機始動時の始動進角の制御精度は向上し、  効果２：始動進角用ばね(６)および形状記憶ばね(８)は小能力化・小形化でき、  効果３：始動進角用ばね(６)から遠心錘(３)(３)までの力の伝達部分は耐久性が向上する。  ］
【００４６】
請求項１の発明は、つぎの特徴構成を有する。
前記感温作動手段(７)は圧縮コイルスプリングを形状記憶合金材料で製造した形状記憶ばね(８)により構成する。
この形状記憶ばね(８)と前記始動進角用ばね(６)とは、前記一対の遠心錘(３)・(３)同士の間に位置させるとともに、前記錘戻しばね(５)に対して同心状に配置して構成した。
【００４７】
この特徴構成から、エンジンの冷機始動時には、図４（Ａ）に例示するように、形状記憶ばね(８)が収縮作動して、始動進角用ばね(６)の張力で一対の遠心錘(３)(３)を始動進角位置に押し拡げ、図１・図３に例示するように、進角機構(４)を介して、燃料噴射ポンプ(19)の燃料噴射時期を冷機始動用進角位置に進角させる。
【００４８】
このとき、この動進角用ばね(６)は両遠心錘(３)(３)に対して、直接遠心方向へ押し付けることから、その力の伝達途中で摩擦ロスが介在するのを無くす事ができ、この摩擦ロスを無くした分だけ、つぎの効果１・２および３を奏し得た。
【００４９】
効果１：  エンジンの冷機始動時の始動進角の制御精度は、上記力の伝達途中での摩擦ロスが無くなった分だけ向上する。
効果２：  始動進角用ばね(６)および形状記憶ばね(８)は、上記力の伝達途中での摩擦ロスが無くなった分だけ、小能力化・小形化することができる。
【００５０】
効果３：  始動進角用ばね(６)から遠心錘(３)(３)までの力の伝達部分は、摩擦ロスが無くなった分だけ、摩耗が起こらなくなって、耐久性が向上する。
【００５１】
［  効果ロ．  形状記憶ばね(８)と始動進角用ばね(６)とは錘戻しばね(５)に対して、遠心錘(３)(３)の回転軸心方向へ位置ずれさせなくて済む分だけ、遠心錘(３)(３)の長さを短くして、偏心カム型機械式タイマの全長の短縮に寄与する。  ］
【００５２】
図１・図４に例示するように、形状記憶ばね(８)と始動進角用ばね(６)とは錘戻しばね(５)に対して、遠心錘(３)(３)同士間の位置で同心状に配置されていて、遠心錘(３)(３)の回転軸心方向へ位置ずれさせなくて済む分だけ、遠心錘(３)(３)の回転軸心方向の長さを短くして、偏心カム型機械式タイマの全長の短縮に寄与することができる。
【００５３】
［  効果ハ．    効果４：両遠心錘(３Ａ)(３Ｂ)同士は、エンジンの冷機始動時に必要な冷機始動進角用離間距離(Ｌｃ)だけ遠心方向に自由に大きく押し拡げられて、充分に始動進角作動するので、エンジンを確実・強力に冷機始動させる事と、
効果５：エンジンの稼動運転時には、両遠心錘(３Ａ)(３Ｂ)同士間の進角作動は温機時錘移動許容距離(Ｌｗ)に制限されるので、高速回転時の進角過剰を無くして、この進角過剰の場合に生ずるＮＯｘや燃焼騒音の発生量の増大などの問題を、解消する事とを、  両立させることができる。  ］
【００５４】
請求項１の発明は、つぎの特徴構成を有する。
前記一対の遠心錘(３)(３)のうちの一方の遠心錘(３Ａ)(３Ｂ)は、錘戻しばね(５)の張力で求心側へ弾圧するのに対して、始動進角用ばね(６)の張力で錘戻しばね(５)の張力に抗して遠心側へ移動させるように構成する。
【００５５】
前記始動進角用ばね(６)と一方の遠心錘(３Ａ)(３Ｂ)とに亘って回転進角制限装置(35)を設ける。この回転進角制限装置(35)は一対の遠心錘(３Ａ)(３Ｂ)同士間の最大離間距離を温機時錘移動許容距離(Ｌｗ)として制限するように構成した。
【００５６】
この特徴構成から、つぎの効果４および効果５を奏する。
効果４：  両遠心錘(３Ａ)(３Ｂ)同士は、エンジンの冷機始動時に必要な冷機始動進角用離間距離(Ｌｃ)だけ遠心方向に自由に大きく押し拡げられて、充分に始動進角作動するので、エンジンを確実・強力に冷機始動させる事。
【００５７】
エンジンがまだ温まっていない冷機始動時には、図５（Ａ）および図６（Ａ）に示すように、形状記憶ばね(８)が低温側感温作動により収縮し、始動進角用ばね(６)が両遠心錘(３Ａ)(３Ｂ)同士を冷機始動進角用距離(Ｌｃ)だけ遠心方向に押し拡げる。
【００５８】
このとき、回転進角制限装置(35)は、始動用進角ばね(６)の伸長に伴って、回転進角制限解除側へ作動して、前記一方の遠心錘(３Ａ)(３Ｂ)側へ移動するので、両遠心錘(３Ａ)(３Ｂ)同士が遠心方向へ離れていく距離を制限することが無い。
【００５９】
これにより、両遠心錘(３Ａ)(３Ｂ)同士は、エンジンの冷機始動時に必要な冷機始動進角用離間距離(Ｌｃ)だけ遠心方向に自由に大きく押し拡げられて、充分に始動進角作動するので、エンジンを確実・強力に冷機始動させる。
【００６０】
効果５：  エンジンの稼動運転時には、両遠心錘(３Ａ)(３Ｂ)同士間の進角作動は温機時錘移動許容距離(Ｌｗ)に制限されるので、高速回転時の進角過剰を無くして、この進角過剰の場合に生ずるＮＯｘや燃焼騒音の発生量の増大などの問題を、解消する事。
【００６１】
エンジンが温まっている温機再始動時および稼動運転時には、図５（Ｂ）および図６（Ｂ）に示すように、形状記憶ばね(８)が高温側感温作動により伸長して、始動進角用ばね(６)を収縮させ、回転進角制限装置(35)を回転進角制限側へ移動させるので、両遠心錘(３Ａ)(３Ｂ)同士が遠心方向へ開いていく距離を、前記温機時錘移動許容距離(Ｌｗ)に制限する。
【００６２】
このため、エンジンの温機再始動時および稼動運転時には、両遠心錘(３Ａ)(３Ｂ)同士間の進角作動は、前記冷機始動進角用距離(Ｌｃ)よりも短い前記温機時錘移動許容距離(Ｌｗ)に制限されるので、高速回転時の進角過剰を無くして、この進角過剰の場合に生ずるＮＯｘや燃焼騒音の発生量の増大などの問題を、解消することができる。
【００６３】
以上のように、  効果４：  両遠心錘(３Ａ)(３Ｂ)同士は、エンジンの冷機始動時に必要な冷機始動進角用離間距離(Ｌｃ)だけ遠心方向に自由に大きく押し拡げられて、充分に始動進角作動するので、エンジンを確実・強力に冷機始動させる事と、
効果５：  エンジンの稼動運転時には、両遠心錘(３Ａ)(３Ｂ)同士間の進角作動は温機時錘移動許容距離(Ｌｗ)に制限されるので、高速回転時の進角過剰を無くして、この進角過剰の場合に生ずるＮＯｘや燃焼騒音の発生量の増大などの問題を、解消する事とを、  両立させることができる。
【００６４】
○  請求項２の発明．  図１・図４参照．
この請求項２の発明は、上記請求項１の発明の［効果イ］・［効果ロ］および［効果ハ］に加えて、つぎの効果を奏する。
【００６５】
［  効果ニ．  錘戻しばね(５)・始動進角用ばね(６)・形状記憶ばね(８)のばね最大外径を小さくできる分だけ、さらに遠心錘(３)(３)の長さを短くして、偏心カム型機械式タイマの全長の短縮に寄与する。  ］
【００６６】
請求項２の発明は、つぎの特徴構成を有する。
前記一対の遠心錘(３)・(３)のうち、その一方の遠心錘(３Ａ)(３Ｂ)の内部には錘戻しばね(５)を設けるのに対して、その他方の遠心錘(３Ｂ)(３Ａ)の内部には始動進角用ばね(６)と形状記憶ばね(８)とを設けた。
【００６７】
この特徴構成から、錘戻しばね(５)と始動進角用ばね(６)・形状記憶ばね(８)とは、内外に挿嵌させ合わなくて済む分だけ、これら３者のばね(５) (６) (８)のばね最大外径を小さくできる分だけ、さらに遠心錘(３)(３)の長さを短くして、偏心カム型機械式タイマの全長の短縮に寄与することができる。
【００６８】
○  請求項３の発明．  図１・図４参照．
この請求項３の発明は、上記請求項１の発明の［効果イ］・［効果ロ］・［効果ハ］および請求項２の発明の［効果ニ］に加えて、つぎの効果を奏する。
【００６９】
［  効果ホ．  形状記憶ばね(８)と始動進角用ばね(６)とは、各ばね長さを長くできる分だけ、ばね伸縮量に対するばね張力の変化率を小さくして、偏心カム型機械式タイマの冷機始動時の進角の制御精度を高める。  ］
【００７０】
この発明３は、つぎの特徴構成を有する。
前記形状記憶ばね(８)と始動進角用ばね(６)とは互いに内外に挿嵌させた。
【００７１】
この特徴構成から、形状記憶ばね(８)と始動進角用ばね(６)とは、互いに内外に挿嵌させることにより、互いに直接付き合わせる場合と比べて、各ばね(８)(６)のばね長さを長くすることができる分だけ、ばね伸縮量に対するばね張力の変化率を小さくして、偏心カム型機械式タイマの冷機始動時の進角の制御精度を高めることができる。
【００７２】
○  請求項４の発明．  図１・図４参照．
この請求項４の発明は、上記請求項１の発明の［効果イ］・［効果ロ］・［効果ハ］、請求項２の発明の［効果ニ］、および請求項３の発明の［効果ホ］に加えて、つぎの効果を奏する。
【００７３】
［  効果ヘ．  始動進角用ばね(６)と形状記憶ばね(８)とは、伝動用筒(９)を介して、正確に安定良く釣合い作動させることができる。しかも、両ばね(６)(８)同士間の干渉を伝動用筒(９)で防止して、偏心カム型機械式タイマの冷機始動時の進角の制御精度・安定性を高めるうえ、両ばね(６)(８)の磨耗を防いで耐久性を高める。  ］
【００７４】
請求項４の発明は、つぎの特徴構成を有する。
互いに内外に挿嵌し合う前記形状記憶ばね(８)と始動進角用ばね(６)との間に伝動用筒(９)を挿入する。この伝動用筒(９)の筒一端部から外鍔(10)を遠心側に連出させるのに対して、その筒他端部から内鍔(11)を求心側に連出させる。
【００７５】
前記一対の遠心錘(３)・(３)のうちの前記他方の遠心錘(３Ｂ)(３Ａ)に前記始動進角用ばね(６)のばね基短部(12)を受け止めさせるとともに、この始動進角用ばね(６)のばね先端部(13)が前記外鍔(10)を介して前記一方の遠心錘(３Ａ)(３Ｂ)を遠心側へ押圧するように構成する。
【００７６】
前記他方の遠心錘(３Ｂ)(３Ａ)に錘開閉ガイド軸(14)を介して形状記憶ばね(８)のばね基端部(15)を受け止めさせるとともに、この形状記憶ばね(８)のばね先端部(16)が内鍔(11)・伝動用筒(９)・および外鍔(10)を順に介して前記始動進角用ばね(６)を圧縮させる側へ弾圧するように構成した。
【００７７】
この特徴構成から、始動進角用ばね(６)と形状記憶ばね(８)とは、外鍔(10)・伝動用筒(９)・内鍔(11)を順に介して、正確に安定良く釣合い作動させることができる。しかも、両ばね(６)(８)同士間の干渉を伝動用筒(９)で防止することができるので、偏心カム型機械式タイマの冷機始動時の進角の制御精度・安定性を高めることができるうえ、両ばね(６)(８)の磨耗を防いで耐久性を高めることができる。
【００７８】
○  請求項５の発明．  図３−図５参照．
この請求項５の発明は、上記請求項１の発明の［効果イ］・［効果ロ］および［効果ハ］に加えて、つぎの効果を奏する。
【００７９】
［  効果ト．  回転進角制限装置(35)は、ばね連動部材(36)と錘係止部材(37)と錘被係止部材(38)との僅か３つの構成要素から成る事、  ばね連動部材(36)と錘係止部材(37)とは、始動進角用ばね(６)に連動連結する事、  および、錘被係止部材(38)は前記一方の遠心錘(３Ａ)(３Ｂ)に固設する事、  だけで済むので、  その回転進角制限装置(35)の構成が簡単で安価に製造できるうえ、耐久性にも優れる  ］
【００８０】
請求項５の発明は、つぎの特徴構成を有する。
前記回転進角制限装置(35)は、ばね連動部材(36)と錘係止部材(37)と錘被係止部材(38)とを具える。  前記ばね連動部材(36)は、前記始動進角用ばね(６)のうちの、前記他方の遠心錘(３Ｂ)(３Ａ)に対して伸縮移動するばね伸縮移動部分(6a)に連動連結する。  前記錘係止部材(37)は前記ばね連動部材(36)に固設する。  前記錘被係止部材(38)は前記一方の遠心錘(３Ａ)(３Ｂ)に固設した。
【００８１】
この特徴構成から、  回転進角制限装置(35)は、ばね連動部材(36)と錘係止部材(37)と錘被係止部材(38)との僅か３つの構成要素から成る事、  ばね連動部材(36)と錘係止部材(37)とは、始動進角用ばね(６)に連動連結する事、  および、錘被係止部材(38)は前記一方の遠心錘(３Ａ)(３Ｂ)に固設する事、  だけで済むので、  その回転進角制限装置(35)の構成が簡単で安価に製造できるうえ、耐久性にも優れる。
【００８２】
○  請求項６の発明．  図３−図５参照．
この請求項６の発明は、上記請求項１の発明の［効果イ］・［効果ロ］・［効果ハ］、請求項４の発明の［効果ヘ］、および請求項５の発明の［効果ト］に加えて、つぎの効果を奏する。
【００８３】
［  効果チ．  外鍔(10)およびばね先端部(13)に対して錘係止部材(37)が、両遠心錘(３Ａ)(３Ｂ)の開閉方向にガタ付くこと無く高精度に安定良く位置決めされることにより、図５（Ｂ）に示す温機時錘移動許容距離(Ｌｗ)が高精度に確保されるので、エンジンの温機再始動時および稼動運転時の進角制限の値を高精度に保持することができる。  ］
【００８４】
請求項６の発明は、つぎの特徴構成を有する。
前記ばね連動部材(36)はリング状に形成する。  このリング状のばね連動部材(36)は、前記連動用筒(９)に外嵌させた状態で、この伝動用筒(９)の前記外鍔(10)と前記始動進角用ばね(６)のばね先端部(13)との間に挟持させる。  このばね先端部(13)がばね伸縮移動部分(6a)を兼ねるように構成した。
【００８５】
この特徴構成から、リング状のばね連動部材(36)は、  伝動用筒(９)に対して外嵌してその径方向に安定良く位置決めされる事と、  外鍔(10)と始動進角用ばね(６)のばね先端部(13)との間に挟持されて、その軸心方向に強力に固定される事とにより、  外鍔(10)およびばね先端部(13)に対して錘係止部材(37)が、両遠心錘(３Ａ)(３Ｂ)の開閉方向にガタ付くこと無く高精度に安定良く位置決めされる。
【００８６】
これにより、図５（Ｂ）に示す温機時錘移動許容距離(Ｌｗ)が高精度に確保されるので、エンジンの温機再始動時および稼動運転時の進角制限の値を高精度に保持することができる。
【００８７】
○  請求項７の発明．  図３−図５参照．
この請求項７の発明は、上記請求項１の発明の［効果イ］・［効果ロ］・［効果ハ］、請求項４の発明の［効果ヘ］、請求項５の発明の［効果ト］、および請求項６の発明の［効果チ］に加えて、つぎの効果を奏する。
【００８８】
［  効果リ．  錘被係止ピン(38a)は、長円形部材(39)で両側から直進案内されて、長円遊端部分(37a)の正規の受止め位置に精確に受け止められることにより、図５（Ｂ）に示す温機時錘移動許容距離(Ｌｗ)が高精度に確保されるので、エンジンの稼動運転時の進角制限の値を高精度に保持することができる。  ］
【００８９】
請求項７の発明は、つぎの特徴構成を有する。
前記錘係止部材(37)は長円形部材(39)の長円遊端部分(37a)から成る。  前記錘被係止部材(38)は錘被係止ピン(38a)から成る。この錘被係止ピン(38a)は前記一方の遠心錘(３Ａ)(３Ｂ)からその遠心移動方向と交差する方向に固着凸設する。  この錘被係止ピン(38a)は前記長円形部材(39)に摺動自在に内嵌させた。
【００９０】
この特徴構成から、前記錘被係止ピン(38a)は、長円形部材(39)で両側から直進案内されて、長円遊端部分(37a)の正規の受止め位置に精確に受け止められ、この正規受止め位置から位置ズレすることが無くなる。
【００９１】
これにより、図５（Ｂ）に示す温機時錘移動許容距離(Ｌｗ)が高精度に確保されるので、エンジンの温機再始動時および稼動運転時の進角制限の値を高精度に保持することができる。
【発明を実施するための最良の形態】
【００９２】
以下、本発明のエンジンの偏心カム型機械式タイマの冷機始動時の進角装置の実施の形態を、図面に基づき説明する。
【００９３】
○  実施形態１．  請求項１・２・３・４・５・６・７．  図１−図６参照．
図１−図６は本発明のエンジンの偏心カム型機械式タイマの冷機始動時の進角装置の実施形態１を示す。図１は偏心カム型機械式タイマの遠心錘に錘戻しばね・始動進角用ばね・感温作動ばねを組み込んだものを示す。図１（Ａ）は図１（Ｂ）のＡ−Ａ線断面正面図、図１（Ｂ）は平面図、図１（Ｃ）は左側面図、図１（Ｄ）は図１（Ａ）のＤ−Ｄ線断面図である。
【００９４】
図２は水冷縦形ディーゼルエンジンの燃料噴射ポンプの駆動装置の縦断右側面図である。  図３（Ａ）は偏心カム型機械式タイマの縦断右側面図、図３（Ｂ）は図３（Ａ）のＢ−Ｂ線断面図、図３（Ｃ）は図３（Ａ）のＣ−Ｃ線断面図、図３（Ｄ）は回転進角制限装置３５の斜視図である。
【００９５】
図４は図１（Ａ）のＩＶ部分の拡大図である。図４（Ａ）は形状記憶ばねの低温側感温時の収縮作動状態を示す。図４（Ｂ）は形状記憶ばねの高温側感温時の伸長作動状態を示す。
【００９６】
図５は両遠心錘の進角作動状態を示す。図５（Ａ）はエンジンの冷機状態での始動時の進角作動状態を示し、図４（Ａ）と同じ図である。図５（Ｂ）はエンジンの温機状態での稼動運転時の進角作動状態を示す。
【００９７】
図６は両遠心錘のエンジン回転速度に対する進角作動特性曲線図である。図６（Ａ）はエンジンの冷機始動時の進角作動特性曲線図であり、図５（Ａ）の状態の作動特性を示す。図６（Ｂ）はエンジンの稼動運転時の進角作動特性曲線図であり、図５（Ｂ）の状態の作動特性を示す。
【００９８】
図２において、符号(19)は燃料噴射ポンプ、(20)は偏心カム型機械式タイマ、(21)は燃料噴射カムギヤ、(22)はタイマ入力軸、(23)は筒状の燃料噴射カム軸である。  エンジンのクランク軸（図外）の動力は、燃料噴射カムギヤ(21)からタイマ入力軸(22)および偏心カム型機械式タイマ(20)を経て、燃料噴射カム軸(23)に伝えられる。
【００９９】
この偏心カム型機械式タイマ(20)は次のように構成される。
図１・図３に示すように、エンジンの偏心カム型機械式タイマを構成する入力輪(１)の一側部に出力輪(２)を、他側部に一対の遠心錘(３)(３)を配置する。
【０１００】
入力輪(１)と出力輪(２)とに亙って偏心カム型進角機構(４)を設ける。この偏心カム型進角機構(４)は一対の遠心錘(３)(３)の遠心力と圧縮コイルスプリング製の錘戻しばね(５)の求心側への張力との不釣合い力により作動して、入力輪(１)に対して出力輪(２)を進角制御作動するように構成する。
【０１０１】
一対の遠心錘(３)(３)は、圧縮コイルスプリング製の始動進角用ばね(６)で遠心方向へ進角駆動するのに対して、感温作動手段(７)の高温側感温時の伸長作動で始動進角用ばね(６)の張力に抗して進角駆動解除するように構成する。
【０１０２】
エンジンの冷機始動時には、図４（Ａ）に示すように、感温作動手段(７)が低温側感温により収縮作動して、始動進角用ばね(６)の張力で一対の遠心錘(３)(３)を始動進角位置に押し拡げるように構成する。
【０１０３】
エンジンの温暖時には、図４（Ｂ）に示すように、感温作動手段(７)が高温側感温により伸長作動して、始動進角用ばね(６)を収縮させて、この始動進角用ばね(６)が一対の遠心錘(３)(３)を始動進角位置に押し拡げるのを解除するように構成する。
【０１０４】
上記偏心カム型進角機構(４)は、周知のものであり、次のように構成される。
図３に示すように、入力輪(１)に大径偏心輪(25)と小径偏心輪(27)とを順に内嵌させてある。  入力輪(１)の点対称の２箇所の偏心位置に一対の各大輪枢支孔(24)が空けられている。
【０１０５】
各大輪枢支孔(24)に一対の各大径偏心輪(25)が内嵌して、回転自在に枢支される。各大径偏心輪(25)の偏心位置に各小輪枢支孔(26)が空けられててる。各小輪枢支孔(26)に一対の各小輪偏心輪(27)が内嵌して、回転自在に枢支されている。
【０１０６】
各大径偏心輪(25)の各偏心入力ピン(28)は一対の各遠心錘(３)に内嵌して連結されている。各小輪偏心輪(27)の各偏心出力ピン(29)は出力輪(２)に内嵌して連結されている。
【０１０７】
入力輪(１)の筒軸部分(41)は、タイマ入力軸(22)に外嵌して、ナット(31)でタイマ入力軸(22)に固定されるとともに、キイで一体回転するように連結されている。出力輪(２)は燃料噴射カム軸(23)に外嵌して、キイで一体回転するように連結されている。
【０１０８】
図１・図４に示すように、前記感温作動手段(７)は圧縮コイルスプリングを形状記憶合金材料で製造した形状記憶ばね(８)により構成する。この形状記憶ばね(８)と前記始動進角用ばね(６)とは、前記一対の遠心錘(３)・(３)同士の間に位置させるとともに、前記錘戻しばね(５)に対して同心状に配置する。
【０１０９】
図３−図５に示すように、  前記始動進角用ばね(６)と一方の遠心錘(３Ａ)(３Ｂ)とに亘って回転進角制限装置(35)を設ける。この回転進角制限装置(35)は一対の遠心錘(３Ａ)(３Ｂ)同士間の最大離間距離を温機時錘移動許容距離(Ｌｗ)として制限するように構成した。
【０１１０】
前記一対の遠心錘(３)・(３)のうち、その一方の遠心錘(３Ａ)(３Ｂ)の内部には錘戻しばね(５)を設けるのに対して、その他方の遠心錘(３Ｂ)(３Ａ)の内部には始動進角用ばね(６)と形状記憶ばね(８)とを設ける。前記形状記憶ばね(８)と始動進角用ばね(６)とは互いに内外に挿嵌させる。
【０１１１】
互いに内外に挿嵌し合う前記形状記憶ばね(８)と始動進角用ばね(６)との間に伝動用筒(９)を挿入する。この伝動用筒(９)の筒一端部から外鍔(10)を遠心側に連出させるのに対して、その筒他端部から内鍔(11)を求心側に連出させる。
【０１１２】
前記一対の遠心錘(３)・(３)のうちの前記他方の遠心錘(３Ｂ)(３Ａ)に前記始動進角用ばね(６)のばね基端部(12)を受け止めさせるとともに、この始動進角用ばね(６)のばね先端部(13)が前記外鍔(10)を介して前記一方の遠心錘(３Ａ)(３Ｂ)を遠心側へ押圧するように構成する。
【０１１３】
前記他方の遠心錘(３Ｂ)(３Ａ)に錘開閉ガイド軸(14)を介して形状記憶ばね(８)のばね基端部(15)を受け止めさせるとともに、この形状記憶ばね(８)のばね先端部(16)が内鍔(11)・伝動用筒(９)・および外鍔(10)を順に介して前記始動進角用ばね(６)を圧縮させる側へ弾圧するように構成した。
【０１１４】
前記回転進角制限装置(35)は、ばね連動部材(36)と錘係止部材(37)と錘被係止部材(38)とを具える。前記ばね連動部材(36)は、前記始動進角用ばね(６)のうちの、前記他方の遠心錘(３Ｂ)(３Ａ)に対して伸縮移動するばね伸縮移動部分(6a)に連動連結する。前記錘係止部材(37)は前記ばね連動部材(36)に一体に固設する。前記錘被係止部材(38)は前記一方の遠心錘(３Ａ)(３Ｂ)に固設する。
【０１１５】
前記ばね連動部材(36)はリング状に形成する。このリング状のばね連動部材(36)は、前記連動用筒(９)に外嵌させた状態で、この伝動用筒(９)の前記外鍔(10)と前記始動進角用ばね(６)のばね先端部(13)との間に挟持させる。このばね先端部(13)がばね伸縮移動部分(6a)を兼ねるように構成した。
【０１１６】
前記錘係止部材(37)は長円形部材(39)の長円遊端部分(37a)から成る。前記錘被係止部材(38)は錘被係止ピン(38a)から成る。この錘被係止ピン(38a)は前記一方の遠心錘(３Ａ)(３Ｂ)からその遠心移動方向と交差する方向に固着凸設する。この錘被係止ピン(38a)は前記長円形部材(39)に摺動自在に内嵌させたものである。
【産業上の利用可能性】
【０１１７】
本発明のエンジンの偏心カム型機械式タイマの冷機始動時の進角装置は、例えばディーゼルエンジンに用いる偏心カム型機械式タイマの冷機始動時の進角装置に好適である。
【図面の簡単な説明】
【０１１８】
【図１】図１−図６は本発明のエンジンの偏心カム型機械式タイマの冷機始動時の進角装置の実施形態１を示す。  図１は偏心カム型機械式タイマの遠心錘に錘戻しばね・始動進角用ばね・感温作動ばねを組み込んだものを示す。図１（Ａ）は図１（Ｂ）のＡ−Ａ線断面正面図、図１（Ｂ）は平面図、図１（Ｃ）は左側面図、図１（Ｄ）は図１（Ａ）のＤ−Ｄ線断面図である。
【０１１９】
【図２】図２は水冷縦形ディーゼルエンジンの燃料噴射ポンプの駆動装置の縦断右側面図である。
【図３】図３（Ａ）は偏心カム型機械式タイマの縦断右側面図、図３（Ｂ）は図３（Ａ）のＢ−Ｂ線断面図、図３（Ｃ）は図３（Ａ）のＣ−Ｃ線断面図、図３（Ｄ）は回転進角制限装置３５の斜視図である。
【０１２０】
【図４】図４は図１（Ａ）のＩＶ部分の拡大図である。図４（Ａ）は形状記憶ばねの低温側感温時の収縮作動状態を示す。図４（Ｂ）は形状記憶ばねの高温側感温時の伸長作動状態を示す。
【図５】図５は両遠心錘の進角作動状態を示す。図５（Ａ）はエンジンの冷機状態での始動時の進角作動状態を示し、図４（Ａ）と同じ図である。図５（Ｂ）はエンジンの温機状態での稼動運転時の進角作動状態を示す。
【０１２１】
【図６】図６は両遠心錘のエンジン回転速度に対する進角作動特性曲線図である。図６（Ａ）はエンジンの冷機始動時の進角作動特性曲線図であり、図５（Ａ）の状態の作動特性を示す。図６（Ｂ）はエンジンの稼動運転時の進角作動特性曲線図であり、図５（Ｂ）の状態の作動特性を示す。
【０１２２】
【図７】図７は従来技術のエンジンの偏心カム型機械式タイマの冷機始動時の進角装置を示す。図７（Ａ）は偏心カム型機械式タイマの縦断左側面図であって、図７（Ｂ）のＡ−Ａ線断面図である。図７（Ｂ）は図７（Ａ）の中央部縦断正面図である。
【符号の説明】
【０１２３】
１…入力輪、  ２…出力輪、  ３・３Ａ・３Ｂ…遠心錘、  ４…偏心カム型進角機構、  ５…錘戻しばね、  ６…始動進角用ばね、  ６ａ…ばね伸縮移動部分、  ７…感温作動手段、  ８…形状記憶ばね、  ９…伝動用筒、  １０…外鍔、  １１…内鍔、  １２…ばね基端部、  １３…ばね先端部、
【０１２４】
１４…錘開閉ガイド軸、  １５…ばね基短部、  １６…ばね先端部、  ３５…回転進角制限装置、  ３６…ばね連動部材、  ３７…錘係止部材、  ３７ａ…長円遊端部分、  ３８…錘被係止部材、  ３８ａ…錘被係止ピン、  ３９…長円形部材、  Ｌｃ…冷機始動進角用距離、  Ｌｗ…温機時錘移動許容距離。
【図１】
2006090213.tif 000003
【図２】
2006090213.tif 000004
【図３】
2006090213.tif 000005
【図４】
2006090213.tif 000006
【図５】
2006090213.tif 000007
【図６】
2006090213.tif 000008
【図７】
2006090213.tif 000009